(57)【要約】  ガイドレールの背面にピット出入り装置を常時設置することで、作業員が安全かつ便利にピット内に出入り可能なエレベータのピット出入り装置を提供することを目的とする。この目的を達成するために、エレベータのピット出入り装置は、昇降路(1)内に設置され、乗場(2)から前記昇降路のピット(7)内に出入りするために用いるピット出入り装置(8)において、上下方向に互いに間隔をおいて架設されている複数の踏み板(9)を有しており、昇降路内の垂直投影面において乗場と昇降体を案内するガイドレール(4a)とは互いに所定の範囲内に設けられ、昇降路内の水平投影面において各踏板はガイドレールの垂直方向に交差する様にガイドレールの背面またはその付近に固定され、踏板とガイドレールとが交差しているガイドレールの端部から反ガイドレール側に延伸される踏板の端部までの長さは足幅と同等またはそれ以上に配置される。
2015159319.tif 000002
【特許請求の範囲】
【請求項１】
昇降路内に設置され、乗場から前記昇降路のピット内に出入りするために用いるピット出入り装置において、上下方向に互いに間隔をおいて架設されている複数の踏み板を有しており、前記昇降路内の垂直投影面において前記乗場と昇降体を案内するガイドレールとは互いに所定の範囲内に設けられ、前記昇降路内の水平投影面において前記各踏板は前記ガイドレールの垂直方向に交差する様に前記ガイドレールの背面またはその付近に固定され、前記踏板と前記ガイドレールとが交差している前記ガイドレールの端部から前記反ガイドレール側に延伸される前記踏板の端部までの長さは足幅と同等またはそれ以上に配置されることを特徴としたエレベータのピット出入り装置。
【請求項２】
前記踏板の端部に固定され、前記複数の踏板を上下方向に互いに間隔をおいて支持する支柱を備えたことを特徴とする請求項１に記載のエレベータのピット出入り装置。
【請求項３】
前記ガイドレールを前記昇降路壁に固定するためのレールブラケットを前記踏板の上下間に配置したことを特徴とする請求項１または請求項２のいずれかに記載のエレベータのピット出入り装置。
【請求項４】
前記支柱を前記レールブラケットに固定したことを特徴とする請求項２に記載のエレベータのピット出入り装置。
【請求項５】
前記レールブラケットの垂直投影面内に前記踏板または前記支柱を配置したことを特徴とする請求項３に記載のエレベータのピット出入り装置。
【請求項６】
前記乗場側に延伸される前記踏板の先端は、垂直投影面において前記ガイドレールの背面よりも乗場側に配置されることを特徴とする請求項１〜５のいずれかに記載のエレベータのピット出入り装置。
【発明の詳細な説明】
【技術分野】
【０００１】この発明は、作業員が昇降路ピットに出入りするためのエレベータのピット出入り装置に関するものである。
【背景技術】
【０００２】エレベータピットに設置された機器の保守点検のため、作業員が最下階乗場からピット内に出入りする場合がある。最下階乗場からピット底面までは段差があるため、作業員が安全に出入りできる機構を設ける必要がある。機械室レスエレベータでは昇降路内に配置される機器が多く、昇降路平面寸法の省スペース化が求められることから、ピット出入り装置の構成および配置が問題となる。特に乗りカゴのサイズが小さい場合、垂直投影面内でピット出入り装置が配置可能なスペースが限られる。そこで、フック付取付腕をガイドレールに固定し、フックにピット出入り装置の上端部を固定して地震やエレベータ昇降時の振動に対して梯子が外れて落下しないための収納構造 (特許文献１及び２)や、エレベータの通常運行時はガイドレール背面側に収納されており、使用時に乗場側に引き出して、乗場側に設置されたブラケットに端部を固定して使用するピット出入り装置 (特許文献３)などがある。
【先行技術文献】
【特許文献】
【０００３】
【特許文献１】特開２００３−２４６５６２
【特許文献２】特開２００５−２６３３８７
【特許文献３】特開２０１３−２２０９１３
【発明の概要】
【発明が解決しようとする課題】
【０００４】このようなエレベータにおいて、通常運行時、ピット出入り装置は昇降するエレベータ機器と干渉しないように昇降路内に収納されている。作業員がピット内に出入りする際、ピット出入り装置を使用するためには、昇降路内に収納されたピット出入り装置を乗場において所定の手順によって使用可能な状態にする準備作業が必要になる。この準備作業において作業員が乗場から昇降路内に身を乗り出すことによって転落する恐れがあり、安全性および利便性に劣るといった問題があった。また、ピット出入り装置を使用しないとき、エレベータ機器と干渉しないように正しく収納されていることを機械的もしくは電気的センサーを用いて確認する必要があった。【０００５】この発明は、上記のような課題を解決するためになされたものであり、ガイドレールの背面にピット出入り装置を常時設置することで、ピット出入り装置を収納したり、収納状態から使用可能な状態にするという準備作業を無くし、作業員が安全かつ便利にピット内に出入り可能なエレベータのピット出入り装置を提供することを目的とする。
【課題を解決するための手段】
【０００６】この発明にかかるエレベータのピット出入り装置は、昇降路内に設置され、乗場から前記昇降路のピット内に出入りするために用いるピット出入り装置において、上下方向に互いに間隔をおいて架設されている複数の踏み板を有しており、昇降路内の垂直投影面において乗場と昇降体を案内するガイドレールとは互いに所定の範囲内に設けられ、昇降路内の水平投影面において各踏板はガイドレールの垂直方向に交差する様にガイドレールの背面またはその付近に固定され、踏板とガイドレールとが交差しているガイドレールの端部から反ガイドレール側に延伸される踏板の端部までの長さは足幅と同等またはそれ以上に配置されることを特徴とするものである。
【発明の効果】
【０００７】この発明は、ピット出入り装置を使用してピットに出入りする場合、昇降路に収納されるピット出入り装置を使用可能な状態にする準備作業やピット出入り装置を使用しないとき昇降路に収納するなどの手間をかけることなく、乗場からそのままピット出入り装置を使うことができる安全性及び利便性の高いピット出入り装置を実現できる。
【図面の簡単な説明】
【０００８】
【図１】この発明の実施の形態１によるエレベータのピット出入り装置を示す正面図である。
【図２】この発明の実施の形態１による図１の垂直投影面を示す平面図である。
【図３】この発明の実施の形態２によるエレベータのピット出入り装置を示す正面図である。
【図４】この発明の実施の形態２による図３の垂直投影面を示す平面図（断面Ａ−Ａ）である。
【図５】この発明の実施の形態２による図３の垂直投影面を示す平面図（断面Ｂ−Ｂ）である。
【図６】この発明の実施の形態２による要部を構成する他のパターンの形態を示す正面図である。
【図７】この発明の実施の形態２による要部を構成する他のパターンの形態を示す正面図である。
【図８】この発明の実施の形態２による要部を構成する他のパターンの形態を示す正面図である。
【図９】この発明の実施の形態３によるエレベータのピット出入り装置を示す正面図である。
【図１０】この発明の実施の形態３による図９の垂直投影面を示す平面図である。
【図１１】この発明の実施の形態４によるエレベータのピット出入り装置を示す正面図である。
【図１２】この発明の実施の形態４による図１１の垂直投影面を示す平面図である。
【発明を実施するための形態】
【０００９】実施の形態１．図１〜２は、この発明の実施の形態１によるピット出入り装置を説明するもので、図１はピット出入り装置がガイドレールの背面に配置されたピット出入り装置を示す正面図、図２は図１の垂直投影面を示す平面図である。なお、エレベータの昇降路機器としてロープ、巻上機、調速機、制御盤等は図示を省略している。
【００１０】昇降路１には乗場２と昇降体であるかご３が設けられ、かご３の両側面にはかご３を昇降路１内で昇降させるためにかご３を案内するガイドレール４ａ、４ｂが設けられている。昇降路１内の垂直投影面において乗場２と、かご３を案内するガイドレール４ａ、４ｂとは互いに所定の範囲内に設けられている。かご３の側面の一側には反対方向に昇降する昇降体である釣合オモリ５が設けられる。昇降体を昇降させるロープ（図示しない）は一側が釣合オモリ５に巻き掛けられ、他側がかご３の下部に設けられる吊り車６に巻き掛けらており、２：１ローピングで配置され、昇降路１内でかご３が昇降される。
【００１１】乗場２から昇降路１のピット７内に出入りするために用いられるピット出入り装置８は、ガイドレール４ａの背面に設置され、上下方向に互いに間隔をおいて架設されている複数の踏板９を有している。ガイドレール４ａは昇降路１内で釣合オモリ５側に設けられるかごレールである。踏板９は昇降路１内の水平投影面においてガイドレール４ａの垂直方向に交差する様にガイドレール４ａの背面に固定されている。踏板９は垂直投影面において交差しているガイドレール４ａから見て、乗場２側及び反乗場２側に各々延伸されており、踏板９とガイドレール４ａとが交差しているガイドレール４ａの端部から反ガイドレール４ａ側に延伸される踏板９の端部までの長さは足幅と同等またはそれ以上に配置されている。
【００１２】次に、上記のように構成された実施の形態１の動作について説明する。乗場２からピット７内に出入りするために、かご３を乗場２よりも上方の階に停止させて、乗場２の扉（図示しない）を開ける。作業者は、乗場２の昇降路１側の乗場敷居（図示しない）付近に立った姿勢で手が届く高さにある踏板９に手を掛けて、体が昇降路１内に転落しないように保持可能な状態に保ち、無理をせず片足が届く程度の高さにある踏板９に片足を掛けながら、体全体をピット出入り装置８に移動させる。作業者はピット出入り装置８に移動した後、踏板９を伝ってピット７内を昇り降りする。作業者は、ピット７内の作業終了後、乗場２からピット７内に移動した手順と逆の手順でピット出入り装置８を使用してピット７から乗場２に戻る。
【００１３】上記のように実施の形態１によれば、昇降路１内に設置され、乗場２から昇降路１のピット７内に出入りするために用いるピット出入り装置８において、上下方向に互いに間隔をおいて架設されている複数の踏板９を有しており、昇降路１内の垂直投影面において乗場２と昇降体であるかご３を案内するガイドレール４ａとは互いに所定の範囲内に設けられ、昇降路１内の水平投影面において各踏板９はガイドレール４ａの垂直方向に交差する様にガイドレール４ａの背面に固定され、踏板９とガイドレール４ａとが交差しているガイドレール４ａの端部から反ガイドレール４ａ側に延伸される踏板９の端部までの長さは足幅と同等またはそれ以上に配置することにより、昇降路１に収納されるピット出入り装置を使用可能な状態にする準備作業やピット出入り装置を使用しないとき昇降路１に収納するなどの手間をかけることなく、乗場２からそのままピット出入り装置８を使うことができるため安全性及び利便性の高いエレベータのピット出入り装置を実現できる。また、ピット出入り装置８を昇降路１にエレベータ機器と干渉しないように常時設置したので、収納状態の確認及び機械的もしくは電気的センサーを不要にできる。
【００１４】実施の形態２．図３〜５は、この発明の実施の形態２によるピット出入り装置を説明するもので、図３は要部を示す正面図、図４は図３の垂直投影面を示す平面図（断面Ａ−Ａ）であり、図５は図３の垂直投影面を示す平面図（断面Ｂ−Ｂ）である。図６〜８は、この発明の実施の形態２による要部を構成する他のパターンを示す正面図である。この発明の実施の形態２によるエレベータのピット出入り装置は、複数の踏板９を上下方向に互いに間隔をおいて支持する支柱１０を備えたこと、またはガイドレール４ａを昇降路１壁に固定するためのレールブラケット１０をピット出入り装置８の一部に配置したことが異なり、それ以外の同様な部分に同じ記号を付記し説明を省略する。
【００１５】図３〜５において、ピット出入り装置８には複数の踏板９の両端に上下方向に互いに間隔をおいて支持する支柱１０が設けられている。ピット出入り装置８は複数の踏板９が支柱１０によって互いに結合されることにより必要な剛性が確保されている。複数の踏板９の上下間の一部にはガイドレール４ａを昇降路１壁に固定するためのレールブラケット１１が配置されている。
【００１６】レールブラケット１１は一端にオモリ側ガイドレール１２ａが固定され、他端にはオモリ側ガイドレール１１ｂが固定されており、中間部にカゴ側ガイドレール４ａが固定されている。すなわち、カゴ側ガイドレール４ａはレールブラケット１１及びオモリ側ガイドレール１２ａ、１１ｂを介して昇降路１壁に固定される。
【００１７】支柱１０はレールブラケット１１の水平方向に交差させて当接または接近して配置され、溶接またはボルトでレールブラケット１１に固定される。レールブラケット１１は、ガイドレール４ａを昇降路１壁に固定すると共に踏板９としても使用できるように兼用可能に設けられている。
【００１８】ここでレールブラケット１１は一体に形成されており、ピット出入り装置８の剛性に依存することなく独立して昇降路１壁に固定されている。すなわち、レールブラケット１１はピット出入り装置８の剛性に依存していないので、図６〜７に示すように支柱１０は設けなくても良い。
【００１９】図６において踏板９はガイドレール４ａの背面に固定され、垂直投影面においてガイドレール４ａが固定されている位置から乗場側及び反乗場側の両側に各々延伸して、レールブラケット１１として兼用可能に設けてられている。ここで踏板９は、昇降路１内で昇降路機器と干渉しない場合に適用可能なパターンである。
【００２０】また、図７において踏板９はガイドレール４ａの背面に固定され、垂直投影面においてガイドレール４ａが固定されている位置から乗場側だけ延伸して設けてられている。ここで踏板９は、昇降路１内の反乗場側で昇降路機器と干渉する場合に適用可能なパターンである。
【００２１】図８において、レールブラケット１３は分割構造に設けられており、ガイドレール４ａの背面に直接固定されず、支柱１０を介してガイドレール４ａを昇降路１壁に固定している。レールブラケット１３は一端にオモリ側ガイドレール１２ａまたは１２ｂが固定され、他端には支柱１０が固定されている。すなわち、カゴ側ガイドレール４ａはピット出入り装置８、レールブラケット１３、オモリ側ガイドレール１２ａまたは１２ｂを介して昇降路１壁に固定されている。ピット出入り装置８は踏板９の一部がガイドレール４ａの背面に固定されている。ここでレールブラケット１３はガイドレール４ａに支柱１０を介して固定されるため、ピット出入り装置８の剛性に依存して昇降路１壁に固定されている。
【００２２】なお、図３〜５においてピット出入り装置８は、支柱１０をレールブラケット１１に固定させて踏板９として兼用可能に配置したが他の手段によって固定しても良い。例えば、支柱１０の一部に水平方向に延伸する腕とこの腕の先端に下向きＬ字形の取付け部を有する取付け器具（図示しない）を設ける。ガイドレール４ａの背面付近でレールブラケット１１に上側からこの下向きＬ字形の取付け部を引っ掛けてピット出入り装置８を固定する。この場合はレールブラケット１１とピット出入り装置８とは別体で設けることになる。
【００２３】次に、上記のように構成された実施の形態２の動作については実施の形態１と同じであるため省略する。上記のように実施の形態２によれば、踏板９の端部に固定され、複数の踏板９を上下方向に互いに間隔をおいて支持する支柱１０を備えたことにより、実施の形態１ではピット出入り装置８は専用設計が必要になるが、ピット出入り装置８は一般的な梯子の形状と同じになるので専用設計が不要になりコストダウンには有利となる。
【００２４】また、ガイドレール４ａを昇降路１壁に固定するためのレールブラケット１１を踏板９の上下間に配置することにより、レールブラケット１１を踏板９として兼用し、かつピット出入り装置８をガイドレール４ａの背面に固定する手段としても兼用可能にすることで、部品の共用化、省スペース化に有利となる。さらにピット出入り装置８は作業者が昇り降りする以外の荷重がかからないことから特別に剛性を高くしなくても良いため、ピット出入り装置８として一般的な梯子が適用可能になりコストダウンに有利となる。
【００２５】また、支柱１０をレールブラケット１３に固定することにより、レールブラケット１３は分割構造にしてピット出入り装置８に取り付けられるため、レールブラケット１１のような一体化設計が不要になることから、新設だけでなく改修工事の際でも昇降路機器との干渉を避けるためのレイアウト設計がより容易になり、設計の自由度を高めることができる。
【００２６】実施の形態３．図９〜１０は、この発明の実施の形態３によるピット出入り装置を説明するもので、図９は要部を示す正面図、図１０は図９の垂直投影面を示す平面図である。この発明の実施の形態３によるエレベータのピット出入り装置は、レールブラケット１４の垂直投影面内に踏板９または支柱１５を配置したことが異なり、それ以外の同様な部分に同じ記号を付記し説明を省略する。
【００２７】図において、ピット出入り装置８には複数の踏板９の両端に上下方向に互いに間隔をおいて支持する支柱１５が設けられている。支柱１５は垂直方向に分割構造に設けられ、一端が踏板９に固定され、他端がレールブラケット１４に固定されている。複数の踏板９が支柱１５によって互いに結合されることによりピット出入り装置８は必要な剛性が確保されている。複数の踏板９の上下間の一部にはガイドレール４ａを昇降路１壁に固定するためのレールブラケット１４が配置されている。
【００２８】レールブラケット１４は一端にオモリ側ガイドレール１２ａが固定され、他端にはオモリ側ガイドレール１２ｂが固定されており、中間部にカゴ側ガイドレール４ａ及び支柱１５が固定されている。すなわち、カゴ側ガイドレール４ａはレールブラケット１４及びオモリ側ガイドレール１２ａ、１２ｂを介して昇降路１壁に固定される。
【００２９】踏板９または支柱１５はレールブラケット１４の垂直投影面内に重なるように配置されている。レールブラケット１４は、ガイドレール４ａを昇降路１壁に固定すると共に踏板９としても使用できるように兼用可能に設けられている。ここでレールブラケット１４は一体に形成されており、ピット出入り装置８の剛性に依存することなく独立して昇降路１壁に固定されている。
【００３０】次に、上記のように構成された実施の形態３の動作については実施の形態１と同じであるため省略する。上記のように実施の形態３によれば、レールブラケット１４の垂直投影面内に、踏板９または支柱１５を配置したことにより、ピット出入り装置８の垂直投影面におけるレイアウトをコンパクトにできることから、新設だけでなく改修工事の際でも昇降路機器との干渉を避けるためのレイアウト設計がより容易になり、設計の汎用性を高めることができる。
【００３１】実施の形態４．図１１〜１２は、この発明の実施の形態４によるピット出入り装置を説明するもので、図１１は要部を示す正面図、図１２は図１１の垂直投影面を示す平面図である。この発明の実施の形態４によるエレベータのピット出入り装置は、踏板１６の一側が垂直投影面においてガイドレール４ａの背面よりも乗場２側に配置されることが異なり、それ以外の同様な部分に同じ記号を付記し説明を省略する。
【００３２】乗場２から昇降路１のピット７内に出入りするために用いられるピット出入り装置８は、ガイドレール４ａの背面に設置され、上下方向に互いに間隔をおいて架設されている複数の踏み板１５を有している。踏板１６は昇降路１内の水平投影面においてガイドレール４ａの垂直方向に交差する様にガイドレール４ａの背面に固定されている。踏板１６は交差しているガイドレール４ａから見て、乗場２側及び反乗場２側に延伸されている。踏板１６とガイドレール４ａとが交差しているガイドレール４ａの端部から反ガイドレール４ａ側に延伸される踏板１６の端部までの長さは足幅と同等またはそれ以上に配置されている。
【００３３】乗場２側に延伸される踏板１６の先端は、所定の位置で屈曲して設けられており、垂直投影面においてガイドレール４ａの背面よりも乗場２側に配置されている。なお、図において支柱１０を設けているが、踏板１６がガイドレール４ａの背面に固定され、ピット出入り装置８の剛性が確保される場合は、支柱１０を設けなくても良い。
【００３４】次に、上記のように構成された実施の形態４の動作については実施の形態１と同じであるため省略する。上記のように実施の形態４によれば、乗場２側に延伸される踏板１６の先端は、垂直投影面においてガイドレール４ａの背面よりも乗場２側に配置されることにより、乗場２とピット出入り装置８との距離が離れている場合、踏板１６の先端を乗場２に接近させることができるので、作業者は安全にピット出入り装置８を利用することができる。
【符号の説明】
【００３５】  １  昇降路、２  乗場、３  かご、４ａ、４ｂ  ガイドレール、５  釣合オモリ、６  吊り車、７  ピット、８  ピット出入り装置、９、１６  踏板、１０、１５  支柱、１１、１３、１４  レールブラケット、１２ａ，１２ｂ  オモリ側ガイドレール
【産業上の利用可能性】
【００３６】  本発明は、作業員が昇降路ピットに出入りするためのエレベータのピット出入り装置に関するものである。
【図１】
2015159319.tif 000003
【図２】
2015159319.tif 000004
【図３】
2015159319.tif 000005
【図４】
2015159319.tif 000006
【図５】
2015159319.tif 000007
【図６】
2015159319.tif 000008
【図７】
2015159319.tif 000009
【図８】
2015159319.tif 000010
【図９】
2015159319.tif 000011
【図１０】
2015159319.tif 000012
【図１１】
2015159319.tif 000013
【図１２】
2015159319.tif 000014
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
昇降路内に設置され、乗場から前記昇降路のピット内に出入りするために用いるピット出入り装置において、上下方向に互いに間隔をおいて架設されている複数の踏み板を有しており、前記昇降路内の垂直投影面において前記乗場と昇降体を案内するガイドレールとは互いに所定の範囲内に設けられ、前記昇降路内の水平投影面において前記各踏板は前記ガイドレールの垂直方向に交差する様に前記ガイドレールの背面またはその付近に固定され、前記踏板と前記ガイドレールとが交差している前記ガイドレールの端部から前記反ガイドレール側の両側に延伸される前記踏板の端部までの長さはいずれも足幅と同等またはそれ以上に配置されることを特徴としたエレベータのピット出入り装置。
【請求項２】
前記踏板の端部に固定され、前記複数の踏板を上下方向に互いに間隔をおいて支持する支柱を備えたことを特徴とする請求項１に記載のエレベータのピット出入り装置。
【請求項３】
前記ガイドレールを前記昇降路壁に固定するためのレールブラケットを前記踏板の上下間に配置したことを特徴とする請求項１または請求項２のいずれかに記載のエレベータのピット出入り装置。
【請求項４】
前記支柱を前記レールブラケットに固定したことを特徴とする請求項２に記載のエレベータのピット出入り装置。
【請求項５】
前記レールブラケットの垂直投影面内に前記踏板または前記支柱を配置したことを特徴とする請求項３に記載のエレベータのピット出入り装置。
【請求項６】
前記乗場側に延伸される前記踏板の先端は、垂直投影面において前記ガイドレールの背面よりも乗場側に配置されることを特徴とする請求項１〜５のいずれかに記載のエレベータのピット出入り装置。
【手続補正２】
【補正対象書類名】明細書
【補正対象項目名】０００６
【補正方法】変更
【補正の内容】
【０００６】
この発明にかかるエレベータのピット出入り装置は、昇降路内に設置され、乗場から前記昇降路のピット内に出入りするために用いるピット出入り装置において、上下方向に互いに間隔をおいて架設されている複数の踏み板を有しており、昇降路内の垂直投影面において乗場と昇降体を案内するガイドレールとは互いに所定の範囲内に設けられ、昇降路内の水平投影面において各踏板はガイドレールの垂直方向に交差する様にガイドレールの背面またはその付近に固定され、踏板とガイドレールとが交差しているガイドレールの端部から反ガイドレール側の両側に延伸される踏板の端部までの長さはいずれも足幅と同等またはそれ以上に配置されることを特徴とするものである。
【手続補正３】
【補正対象書類名】明細書
【補正対象項目名】００１３
【補正方法】変更
【補正の内容】
【００１３】
上記のように実施の形態１によれば、昇降路１内に設置され、乗場２から昇降路１のピット７内に出入りするために用いるピット出入り装置８において、上下方向に互いに間隔をおいて架設されている複数の踏板９を有しており、昇降路１内の垂直投影面において乗場２と昇降体であるかご３を案内するガイドレール４ａとは互いに所定の範囲内に設けられ、昇降路１内の水平投影面において各踏板９はガイドレール４ａの垂直方向に交差する様にガイドレール４ａの背面に固定され、踏板９とガイドレール４ａとが交差しているガイドレール４ａの端部から反ガイドレール４ａ側の両側に延伸される踏板９の端部までの長さはいずれも足幅と同等またはそれ以上に配置することにより、昇降路１に収納されるピット出入り装置を使用可能な状態にする準備作業やピット出入り装置を使用しないとき昇降路１に収納するなどの手間をかけることなく、乗場２からそのままピット出入り装置８を使うことができるため安全性及び利便性の高いエレベータのピット出入り装置を実現できる。また、ピット出入り装置８を昇降路１にエレベータ機器と干渉しないように常時設置したので、収納状態の確認及び機械的もしくは電気的センサーを不要にできる。
【国際調査報告】
2015159319.tif 000015
2015159319.tif 000016
2015159319.tif 000017
2015159319.tif 000018